(57)【要約】【課題】  シート状部材に組み込まれたＩＤチップを利用して、プリントやコピーの際に、より適切が画像出力を得ることができる画像処理装置を提供する。【解決手段】  シート状部材に組み込まれたＩＤチップに記憶された当該シート状部材の情報を読み取るＩＤチップ情報読取部１０２と、ＩＤチップ情報読取部１０２によって読み取られたＩＤチップ情報と出力するプリントデータ１０３を解析して画像出力すると共に、解析された情報を出力する画像データ解析部１０４と、画像データ解析部１０４から出力された情報をＩＤチップに書き込むＩＤチップ情報書込部１０５とを有する。【選択図】        図１
2006262064.tif 000002
【特許請求の範囲】
【請求項１】
シート状部材に組み込まれたＩＤチップに記憶された当該シート状部材の情報を読み取るＩＤチップ情報読取手段と、
前記ＩＤチップ情報読取手段によって読み取られたＩＤチップ情報と出力するプリントデータを解析して画像出力すると共に、解析された情報を出力する画像データ解析手段と、
前記画像データ解析手段から出力された情報を前記ＩＤチップに書き込むＩＤチップ情報書込手段とを有することを特徴とする画像処理装置。
【請求項２】
前記シート状部材に組み込まれたＩＤチップには当該シート状部材にプリントされている画像情報が記憶されており、前記ＩＤチップ情報読取手段は、前記ＩＤチップに記憶された画像情報を読み込むことを特徴とする請求項１記載の画像処理装置。
【請求項３】
前記シート状部材に組み込まれたＩＤチップには当該シート状部材の部材情報が記憶されており、前記ＩＤチップ情報読取手段は、前記ＩＤチップに記憶された部材情報を読み込むことを特徴とする請求項１記載の画像処理装置。
【請求項４】
シート状部材に組み込まれたＩＤチップに記憶された情報を読み取るＩＤチップ情報読取手段と、
前記シート状部材の画像を読み取る画像読取手段と、
前記ＩＤチップ情報読取手段によって読み取られたＩＤチップ情報と前記画像読取手段によって読み取られた画像情報を解析して画像出力すると共に、解析された情報を出力する画像データ解析手段と、
前記画像データ解析手段から出力された情報を前記ＩＤチップに書き込むＩＤチップ情報書込手段とを有し、
前記シート状部材に組み込まれたＩＤチップには当該シート状部材にプリントされている画像情報が記憶されており、前記ＩＤチップ情報読取手段は、前記ＩＤチップに記憶された画像情報を読み取り、前記画像データ解析手段は、前記画像読取手段によって読み取られた画像情報と前記ＩＤチップ情報読取手段によって読み取られた画像情報とから当該画像情報に新たに書き加えられた画像情報を解析して出力することを特徴とする画像処理装置。
【請求項５】
前記画像データ解析手段は、前記解析によって得られた新たに書き加えられた画像情報をＩＤチップ書込用データに変換して出力し、前記ＩＤチップ情報書込手段によって前記シート状部材に組み込まれたＩＤチップに書き込むことを特徴とする請求項４記載の画像処理装置。
【請求項６】
前記画像データ解析手段は、前記シート状部材に組み込まれたＩＤチップから前記ＩＤチップ情報読取手段によって読み取られた画像情報と出力するプリントデータを解析して、プリント動作を制御することを特徴とする請求項２記載の画像処理装置。
【請求項７】
前記画像データ解析手段は、前記シート状部材に組み込まれたＩＤチップから前記ＩＤチップ情報読取手段によって読み取られた部材情報と出力するプリントデータを解析して、プリント動作を制御することを特徴とする請求項３記載の画像処理装置。
【請求項８】
前記画像データ解析手段は、前記解析によって得られた画像情報を前記ＩＤチップ情報書込手段によって前記シート状部材に組み込まれたＩＤチップに書き込む際に、それまで記憶されていたデータは残さずに上書きすることを特徴とする請求項６記載の画像処理装置。
【請求項９】
前記画像データ解析手段は、前記解析によって得られた画像情報を前記ＩＤチップ情報書込手段によって前記シート状部材に組み込まれたＩＤチップに書き込む際に、解析した内容の内、これから書き込む情報のみを追加書き込みすることを特徴とする請求項６記載の画像処理装置。
【請求項１０】
前記画像データ解析手段は、前記解析によって得られた画像情報をＩＤチップ書込用データに変換して出力し、前記ＩＤチップ情報書込手段によって前記シート状部材に組み込まれたＩＤチップに書き込むことを特徴とする請求項８又は請求項９記載の画像処理装置。
【発明の詳細な説明】
【技術分野】
【０００１】
本願発明は、シート状部材に画像情報を記録する画像処理装置に関するものである。
【背景技術】
【０００２】
従来のプリンタやコピー機等の画像処理装置（画像形成装置）では、プリント用紙やＯＨＰ等のシート状部材の情報は無視、またはユーザーからの設定に頼っていた。
【０００３】
すなわち、背景となる画像情報が予めプリントされているシート状部材上にプリント作業を行う場合、インクが混ざり意図しない画像出力となる可能性があるが、本願出願人はこれに対処した従来技術を知らないし、プリント用紙の種類等はユーザーが相変わらず設定している。
【０００４】
一方、技術分野は異なるが、本願出願人は、書類に無線周波数識別（ＲＦＩＤ）タグ等のＩＤチップを組み込んで、セキュリティ情報を読み書きできる書類セキュリティシステムを提案している（特許文献１参照）。
【特許文献１】特開２００４−０９４９４９号公報
【発明の開示】
【発明が解決しようとする課題】
【０００５】
上述したように従来の画像処理装置ではシート状の部材の情報は無視、またはユーザーからの設定に頼っていた。これではユーザーの意図した画像出力を得ることがなかなかできないため、本願発明者は、技術分野の異なる上記特許文献１の技術を応用して、シート状部材に組み込まれたＩＤチップを利用し、プリント毎にシート状部材の情報を読み込んで適切なプリントを行うことができるのではないかと考えた。
【０００６】
また、コピー動作時にはシート状部材に組み込まれたＩＤチップに記憶された画像データとスキャナー等の画像読取装置から読み取ったデータを解析し、コピー動作による画質劣化を抑えることが考えられる。また、画像出力と同時にＩＤチップにも画像出力データを書き込むことが考えられる。
【０００７】
また、前述したように、背景が予めプリントされたシート状部材上にプリント作業を行う場合、インクが混ざり意図しない画像出力となる可能性がある。よって、予めプリントされている背景情報（いつ、シート状部材の何処に何色のインクがどのくらい吐出されているか等）と、これからプリントする情報を解析することにより意図する画像出力を得ることができるものと考えられる。
【０００８】
また、現在の画像処理装置では用紙の種類等をユーザーが設定をしているが、シート状部材に組み込まれたＩＤチップにシート状部材の部材情報（厚さ、用紙種、表裏、製造日等）を予め記憶しておけば、プリント時にユーザーが設定することなく自動認識が可能となるものと考えられる。
【０００９】
また、シート状部材にプリントされた画像をコピーする場合、これまでの技術では画像がどうしても劣化してしまう。しかし、シート状部材に組み込まれたＩＤチップ内にプリント情報を記憶しておき、コピーする時はスキャナーで読み込むのではなく、ＩＤチップ内の情報からプリントすれば画像の劣化は無くなるものと考えられる。しかし、シート状の部材に手書きで書き込むこともあるので、スキャナーで読み込んだ情報とＩＤチップの情報を合わせて解析することにより手書き部分もコピーすることが可能となり、または手書き部分はプリントせずＩＤチップ内のオリジナル情報のみを画像出力することも可能となるものと思われる。
【００１０】
そこで、本願発明は前述したような従来の課題を解決するため上述したような着目でなされたものであり、シート状部材に組み込まれたＩＤチップを利用して、プリントやコピーの際に、より適切が画像出力を得ることができる画像処理装置を提供することを目的とするものである。
【課題を解決するための手段】
【００１１】
上記のような目的を達成するために、本願発明は、シート状部材に組み込まれたＩＤチップに記憶された当該シート状部材の情報を読み取るＩＤチップ情報読取手段と、前記ＩＤチップ情報読取手段によって読み取られたＩＤチップ情報と出力するプリントデータを解析して画像出力すると共に、解析された情報を出力する画像データ解析手段と、前記画像データ解析手段から出力された情報を前記ＩＤチップに書き込むＩＤチップ情報書込手段とを有することを特徴とするものである。
【００１２】
具体的には、前記シート状部材に組み込まれたＩＤチップには当該シート状部材にプリントされている画像情報が記憶されており、前記ＩＤチップ情報読取手段は、前記ＩＤチップに記憶された画像情報を読み込むことを特徴とするものである。
【００１３】
また、前記シート状部材に組み込まれたＩＤチップには当該シート状部材の部材情報が記憶されており、前記ＩＤチップ情報読取手段は、前記ＩＤチップに記憶された部材情報を読み込むことを特徴とするものである。
【００１４】
一方、シート状部材に組み込まれたＩＤチップに記憶された情報を読み取るＩＤチップ情報読取手段と、前記シート状部材の画像を読み取る画像読取手段と、前記ＩＤチップ情報読取手段によって読み取られたＩＤチップ情報と前記画像読取手段によって読み取られた画像情報を解析して画像出力すると共に、解析された情報を出力する画像データ解析手段と、前記画像データ解析手段から出力された情報を前記ＩＤチップに書き込むＩＤチップ情報書込手段とを有し、前記シート状部材に組み込まれたＩＤチップには当該シート状部材にプリントされている画像情報が記憶されており、前記ＩＤチップ情報読取手段は、前記ＩＤチップに記憶された画像情報を読み取り、前記画像データ解析手段は、前記画像読取手段によって読み取られた画像情報と前記ＩＤチップ情報読取手段によって読み取られた画像情報とから当該画像情報に新たに書き加えられた画像情報を解析して出力することを特徴とするものである。
【００１５】
また、前記画像データ解析手段は、前記解析によって得られた新たに書き加えられた画像情報をＩＤチップ書込用データに変換して出力し、前記ＩＤチップ情報書込手段によって前記シート状部材に組み込まれたＩＤチップに書き込むことを特徴とするものである。
【００１６】
一方、前記画像データ解析手段は、前記シート状部材に組み込まれたＩＤチップから前記ＩＤチップ情報読取手段によって読み取られた画像情報と出力するプリントデータを解析して、プリント動作を制御することを特徴とするものである。
【００１７】
また、前記画像データ解析手段は、前記シート状部材に組み込まれたＩＤチップから前記ＩＤチップ情報読取手段によって読み取られた部材情報と出力するプリントデータを解析して、プリント動作を制御することを特徴とするものである。
【００１８】
また、前記画像データ解析手段は、前記解析によって得られた画像情報を前記ＩＤチップ情報書込手段によって前記シート状部材に組み込まれたＩＤチップに書き込む際に、それまで記憶されていたデータは残さずに上書きすることを特徴とするものである。
【００１９】
一方、前記画像データ解析手段は、前記解析によって得られた画像情報を前記ＩＤチップ情報書込手段によって前記シート状部材に組み込まれたＩＤチップに書き込む際に、解析した内容の内、これから書き込む情報のみを追加書き込みすることを特徴とするものである。
【００２０】
また、前記画像データ解析手段は、前記解析によって得られた画像情報をＩＤチップ書込用データに変換して出力し、前記ＩＤチップ情報書込手段によって前記シート状部材に組み込まれたＩＤチップに書き込むことを特徴とするものである。
【発明の効果】
【００２１】
本願発明によれば、シート状部材に埋め込み等により組み込まれたＩＤチップに記憶された当該シート状部材の情報を利用することができるので、より適切な画像出力を得ることができ、また画像出力と同時に画像データをシート状部材に組み込まれたＩＤチップに記憶することができる。
【００２２】
具体的には、シート状部材に組み込まれたＩＤチップにシート状部材にプリントされている画像情報が記憶されており、画像形成時に読み込むことができるので、インクが混ざって意図しない画像出力となるのを防ぐことができる。
【００２３】
また、シート状部材に組み込まれたＩＤチップにシート状部材の部材情報（品種、厚さ、シリアルナンバー等）が記憶されており、画像形成時に読み込むことができるので、ユーザーが設定する必要が無くなる。
【００２４】
一方、シート状部材に組み込まれたＩＤチップに記憶されている当該シート状部材にプリントされている画像情報と画像読取手段で読み取った画像情報を解析し、ＩＤチップから読み取った画像情報と新たに書き加えられた画像情報を利用することにより、コピー動作による画質の劣化を抑えると共に、手書き部分もコピーすることが可能となり、または手書き部分はプリントせずＩＤチップ内のオリジナル情報のみを画像出力することも可能なる。また、ＩＤチップがページメモリとして機能するので、ページメモリの削減も可能となる。
【００２５】
また、画像出力と同時に画像データをＩＤチップに記憶することができる。
【００２６】
一方、シート状部材に組み込まれたＩＤチップに記憶されている予めプリントされている画像情報と、これからプリントするプリントデータを解析して、プリント動作を制御することにより、吐出するインクの種類や量を決定することができるので、より良い画質の画像出力を得ることができる。
【００２７】
また、シート状部材に埋め込まれたＩＤチップに記憶されたシート状部材の部材情報と、これからプリントするプリントデータを解析して、プリント動作を制御することにより、吐出するインクの種類や量や吐出方法（キャリッジの高さ等）を決定することができるので、より適切な画像出力を得ることができる。
【００２８】
また、解析によって得られた画像情報をＩＤチップに書き込む際、以前に記憶されていたデータは残さず上書きすることにより、ＩＤチップの容量が不足するようなことは起こらない。
【００２９】
一方、解析によって得られた画像情報をＩＤチップに書き込む際、以前に記憶されていたデータから変更のあった部分だけ追記することにより、更新データを必要最小限に抑えることができ、また変更のあった部分を除いたデータのみ（画像読取手段で読み取ったデータ以外）を使用することも可能となる。
【００３０】
また、解析によって得られた画像情報をＩＤチップ書込用データに変換して、シート状部材に埋め込まれたＩＤチップに書き込むことができる。
【発明を実施するための最良の形態】
【００３１】
以下、本願発明の実施形態を図面を参照して詳細に説明する。
【００３２】
図１は、本願発明の概要を示すブロック図であり、本願発明の画像処理装置１００は、プリント用紙やＯＨＰ等のシート状部材の画像を読み取る画像読取装置１０１からの出力と上記シート状部材に埋め込まれたＩＤチップに記憶された情報を読み取るＩＤチップ情報読取部１０２からの出力、又は上記ＩＤチップ情報読取部１０２からの出力とＰＣ（パソコン）等からのプリントデータ１０３が画像データ解析部１０４に与えられ、画像データ解析部１０４はそれらを解析して画像出力すると共に、画像データ解析部１０４の出力がＩＤチップ情報書込部１０５によって上記シート状部材に埋め込まれたＩＤチップに書き込まれるように構成されている。
【００３３】
本願発明の画像処理装置（画像形成装置）１００は上記図1に示したような機能を有するが、スキャナー等から成る画像読取装置１０１は画像処理装置１００の外、又は無くても実施可能な発明もある。
【００３４】
また、ＩＤチップ情報読取部１０２やＩＤチップ情報書込部１０５は、前述した特許文献１に開示されたものと同様なものであり、無線周波数識別（ＲＦＩＤ）タグ等のＩＤチップは同特許文献１に開示されているように極めて小さなものが実現されており、プリント用紙やＯＨＰ等のシート状部材に埋め込むことが可能である。また、画像データ解析部１０４はＣＰＵ等によって実現される。
【００３５】
上記のように、画像読取装置１０１によって読み取られたシート状部材の画像情報や、ＩＤチップ情報読取部１０２によって読み取られたシート状部材のＩＤチップ情報や、出力するプリントデータ１０３を画像データ解析部１０４で解析することによって、適切な画像出力を得ることができ、また解析された情報をＩＤチップ情報書込部１０５でシート状部材に埋め込まれたＩＤチップに書き込むことによって、ＰＣ等の情報端末が無くてもプリントされてあるデジタル情報を利用することができる。
【００３６】
また、シート状部材（用紙、ＯＨＰ等）に埋め込まれたＲＦＩＤ等のＩＤチップに、このシート状部材の何処に何のインクがどれだけの量吐出されたか等の背景画像情報を記憶させておくことにより、この背景画像情報をプリント動作直前に画像処理装置１００内にあるＩＤチップ情報読取部１０２で読み取ることができる。これと、この上にプリントされるプリントデータ１０３を画像データ解析部１０４で解析して、プリント動作を制御し吐出するインクの種類や量を決定することにより、背景が予めプリントされたシート状部材上にプリント作業を行う場合に、インクが混ざって意図しない画像出力となるような不具合を防ぐことができる。
【００３７】
また、シート状部材に埋め込まれたＩＤチップにシート状部材の部材情報（用紙の種類、厚さ、シリアルナンバー等）を記憶させておくことにより、この部材情報をプリント動作直前に画像処理装置１０２内にあるＩＤチップ情報読取部１０２で読み取ることができる。これと、この上にプリントされるプリントデータ１０３を画像データ解析部１０４で解析して、プリント動作を制御し吐出するインクの種類や量や吐出方法（キャリッジの高さ等）を決定することにより、シート状部材に合ったより適切な画像出力を得ることができる。
【００３８】
本願発明の他の実施形態の概要を図２に示す。なお、上記図１と同一符号は同一又は相当部分を示している。
【００３９】
ユーザーはプリントされたシート状部材に自分で書き込むことがある。シート状部材に埋め込まれたＩＤチップにはプリント情報が記憶されているが、当然ユーザーが書き込んだ内容までは記憶していない。そこで、画像読取装置１０１とＩＤチップ情報読取部１０２で読み取った情報を画像データ解析部１０４で組み合わせ解析する。
【００４０】
すなわち、図２に示すように、画像読取装置１０１で読み取った情報をデータ１、ＩＤチップ情報読取部１０２で読み取った情報をデータ２とする。これらのデータの引き算を画像データ解析部１０４で行い、出てきたデータが新たに書き加えられた部分ということになる。
【００４１】
上記のようにして、ユーザーが書き加えた部分もデータ化されたので、これをＩＤチップ用のプログラムデータ（ＩＤチップ書込用データ）に変換し、得られたデータ３をＩＤチップ情報書込部１０５によってシート状部材に埋め込まれたＩＤチップに書き込む。
【００４２】
このようにすることにより、コピー動作による画質の劣化を抑えると共に、手書き部分もコピーすることが可能となり、または手書き部分はプリントせずＩＤチップ内のオリジナル情報のみを画像出力することも可能なる。また、ＩＤチップがページメモリとして機能するので、ページメモリの削減も可能となる。
【００４３】
本願発明の更に他の実施形態の概要を図３に示す。なお、前記図１や図２と同一符号は同一又は相当部分を示している。
【００４４】
前述したように、シート状部材に埋め込まれたＩＤチップに記憶された当該シート状部材の背景画像情報をＩＤチップ読取部１０２によって読み取って得られたデータ２と、これからプリントを行うプリントデータ１０３であるデータ４を画像データ解析部１０４に入力して、適切なインク種やインク量等について画像データ解析部１０４で解析して画像出力を行う。このような解析を行うことによって、予めプリントされたシート状部材上に解析無しで吐出するよりも、より適切な画像出力を得ることができる。
【００４５】
また、前述したように、シート状部材に埋め込まれたＩＤチップに記憶された当該シート状部材の部材情報をＩＤチップ読取部１０２によって読み取って得られたデータ２と、これからプリントを行うデータ４を画像データ解析部１０４に入力することにより、適切なインク種、インク量、インク吐出方法（キャリッジの高さ等）などについて画像データ解析部１０４で解析し画像出力を行う。このような解析を行うことにより、ユーザーからの設定が必要無くなり、シート状部材の部材情報が自動認識されて適切な画像出力を行うことができる。
【００４６】
また、画像データ解析部１０４で解析したデータを画像出力すると同時に、ＩＤチップ書込用のデータ５に変換し、ＩＤチップ情報書込部１０５によってシート状部材に埋め込まれたＩＤチップに書き込む際に、以前に記憶されていたデータは残さず上書きすることにより、ＩＤチップの容量が不足するようなことを防ぐことができる。
【００４７】
一方、画像データ解析部１０４で解析したデータを画像出力すると同時に、ＩＤチップ書込用のデータ５に変換し、ＩＤチップ情報書込部１０５によってシート状部材に埋め込まれたＩＤチップに書き込む際に、以前に記憶されていたデータは残し、新たに書き加えられるデータのみをＩＤチップに記憶することにより、更新データを必要最小限に抑えることができ、また以前の情報のみを活用することも可能となる。
【００４８】
また、上記のように、画像出力を行うと同時に、画像出力データを画像データ解析部１０４でＩＤチップ用プログラムを用いでＩＤチップ書込用データに変換して得られるデータ５を作成し、ＩＤチップ情報書込部１０５によってＩＤチップに書き込むことにより、ＩＤチップに効率良く書き込むことができる。前記図２に示した実施形態とは、画像読取装置１０１から得た情報を利用していない点で異なる。
【００４９】
なお、上述したような本願発明は、ＩＤチップが取り付けられたメディアや消耗品等から、それらの情報を使用時に読み取り、データが更新される時にＩＤチップ内の情報も更新されるようなものにも応用可能である。
【図面の簡単な説明】
【００５０】
【図１】本願発明の概要を示すブロック図。
【図２】本願発明の他の実施形態の概要を示すブロック図。
【図３】本願発明の更に他の実施形態の概要を示すブロック図。
【符号の説明】
【００５１】
１００  画像処理装置
１０１  画像読取装置
１０２  ＩＤチップ情報読取部
１０３  プリントデータ
１０４  画像データ解析部
１０５  ＩＤチップ情報書込部
【図１】
2006262064.tif 000003
【図２】
2006262064.tif 000004
【図３】
2006262064.tif 000005